(57)【特許請求の範囲】
【請求項１】
面光源ユニットと、前記面光源ユニットの前面側に配置される表示パネルと、第２枠部を備え、前記表示パネルを背面側から固定し、かつ、前記面光源ユニットを前面側から固定するスペーサと、を備えた表示装置において、
前記面光源ユニットは、板形状を有する導光板と、前記導光板の一端面に沿って配置された光源部と、前記光源部の周囲を前記導光板の側を除いてほぼ包み、前記光源部からの光を前記導光板に向けて反射するリフレクタと、底面部を有し前記導光板を背面側から固定する導光板固定枠と、を備え、
前記導光板固定枠は、前記底面部から前記導光板の他の端面に沿って立設されて、前記導光板を所定位置に位置決めする、複数の第３位置決め部を有し、
前記複数の第３位置決め部は、前記導光板の他の端面を覆う平面状に形成され、
前記光源部は前記導光板の前記一端面の長さより長く、
前記リフレクタは、前記光源部が前記導光板からはみ出す部分を覆う遮蔽部を備え、
前記スペーサは、前記面光源ユニットの方向に向けて前記第２枠部から突出する第２突出部を有し、
前記導光板固定枠と前記スペーサとが一辺を共通にして一体形成されていることを特徴とする表示装置。
【請求項２】
請求項１において、
前記リフレクタは、前記光源部が長さ方向に移動しないように固定する固定部を備えることを特徴とする表示装置。
【請求項３】
請求項１または請求項２において、
前記導光板固定枠と前記リフレクタとが、所定形状に一体形成されていることを特徴とする表示装置。
【請求項４】
請求項１において、
前記導光板固定枠と前記スペーサとに共通な一辺には、前記導光板固定枠と前記スペーサとの境界線に切り込み部が形成されていることを特徴とする表示装置。
【請求項５】
面光源ユニットと、前記面光源ユニットの前面側に配置される表示パネルと、第２枠部を備え、前記表示パネルを背面側から固定し、かつ、前記面光源ユニットを前面側から固定するスペーサと、を備えた表示装置において、
前記面光源ユニットは、板形状を有する導光板と、前記導光板の一端面に沿って配置された光源部と、前記光源部の周囲を前記導光板の側を除いてほぼ包み、前記光源部からの光を前記導光板に向けて反射するリフレクタと、底面部を有し前記導光板を背面側から固定する導光板固定枠と、を備え、
前記導光板固定枠は、前記底面部から前記導光板の他の端面に沿って立設されて、前記導光板を所定位置に位置決めする、複数の第３位置決め部を有し、
前記複数の第３位置決め部は、前記導光板の他の端面を覆う平面状に形成され、
前記光源部は前記導光板の前記一端面の長さより長く、
前記リフレクタは、前記光源部が前記導光板からはみ出す部分を覆う遮蔽部を備え、
前記スペーサは、前記第２枠部から立設されて前記表示パネルの端面に当接して、前記表示パネルを前記第２枠部とほぼ平行な面内の所定位置に位置決めする複数の第２位置決め部を有し、
前記導光板固定枠と前記スペーサとが一辺を共通にして一体形成されていることを特徴とする表示装置。
【請求項６】
請求項１ないし請求項５のいずれかにおいて、
前記導光板固定枠および前記スペーサは、金属で形成されていることを特徴とする表示装置。
【請求項７】
請求項６において、
前記導光板固定枠または前記スペーサのいずれかが少なくとも一点で接地されていることを特徴とする表示装置。
【請求項８】
請求項１ないし請求項５のいずれかにおいて、
前記導光板固定枠および前記スペーサは、樹脂で形成されていることを特徴とする表示装置。
【請求項９】
請求項１ないし請求項８のいずれかにおいて、
前記表示パネルは、表示領域と、前記表示領域の周囲に形成された周辺回路領域と、を備え、
前記スペーサの前記第２枠部は、前記周辺回路領域に対応する位置に形成されていることを特徴とする表示装置。
【請求項１０】
請求項９において、
前記スペーサは、前記第２枠部と前記表示パネルとの間隔を保ち、かつ、前記面光源ユニットから前記周辺回路領域への光漏れを防ぐ壁部を備えることを特徴とする表示装置。
【請求項１１】
請求項１ないし請求項１０のいずれかにおいて、
前記導光板固定枠の４辺により囲まれる面積は、前記スペーサの４辺により囲まれる面積より小さいことを特徴とする表示装置。
【請求項１２】
請求項１ないし請求項１１のいずれかにおいて、
第１枠部を備え、前記表示パネルを前面側から固定するパネル固定枠をさらに備え、
前記パネル固定枠と前記スペーサとが一辺を共通にして一体形成されていることを特徴とする表示装置。
【請求項１３】
請求項１ないし請求項１２のいずれかに記載の表示装置を表示手段として有することを特徴とする電子機器。
【発明の詳細な説明】
【０００１】
【発明の属する技術分野】
本発明は、面光源ユニットならびにそれを備えた表示装置および電子機器に関する。
【０００２】
【背景技術および発明が解決しようとする課題】
液晶表示装置などの表示装置に用いられる面光源ユニットとして、導光板の一つの端面に沿って光源を配置し、導光板の残りの端面および導光板の背面を光反射性を備える固定枠で覆って形成したものがある。また、このような面光源ユニットにおいては、光源からの光の殆どを導光板に向かわせるために、光源を導光板側を除いて覆い導光板に向けて光を反射させるリフレクタを用いることが一般的である。
【０００３】
そして、光源としては、エネルギー効率の高い蛍光管例えば冷陰極管が用いられることが多い。蛍光管は、その両端付近に電極を備えており、その近傍においては、発光が少ないという性質を持っている。そのため、導光板の幅とほぼ等しい長さの蛍光管を導光板の一端面に沿って配置すると、蛍光管の端部付近に対応する位置の導光板からの光の放出が少ないという問題が起きる。
【０００４】
そこで、適切な明るさを持つ蛍光管の中央部分のみが導光板の一辺に沿って配置されるように、蛍光管の長さを導光板の対応する一辺より長くして、蛍光管の端部付近が導光板の対応する一辺からはみ出すように配置することが考えられる。しかしながら、このように蛍光管を導光板の対応する一辺からはみ出させると、蛍光管の端部付近から不必要な漏れ光が放出されてしまうという問題が発生してしまう。
【０００５】
また、リフレクタが、導光板の前面および背面の一部と重ねられ、両面テープなどによって導光板に接着されて固定されているものがある。しかしながら、このようにリフレクタを導光板に両面テープなどを用いて接着すると、両面テープなどが導光板とリフレクタとの間に介在することになり、両面テープなどによって面内輝度や光の利用効率が低下してしまう。しかも、両面テープなどを用いてリフレクタを貼付する作業は、リフレクタの位置決めなどにおいて慎重を要する作業であり、必要となる工数も大きい。さらに、リフレクタが導光板と一部重なる状態となっているため、リフレクタによって導光板前面の一部が覆われることになり、その領域は面光源としては利用できないこととなり、その領域に対応する分だけ導光板を大型化する必要が生じる。そのため、このような面光源ユニットにおいては、外形に対する発光面面積の割合が低下してしまう。
【０００６】
本発明は、上記のような点に鑑みてなされたものであり、その目的は、下記の少なくとも１つの課題を解決することができる、面光源ユニットならびにそれを備えた表示装置および電子機器を提供することにある。
【０００７】
１）導光板から放射される光量が、放射面内でほぼ均一である。
【０００８】
２）光源の端部付近から不必要な漏れ光が放出されない。
【０００９】
３）光の利用効率が高い。
【００１０】
４）製造するための工数を削減することができる。
【００１１】
５）外形に対する発光面面積の割合が高い。
【００１２】
【課題を解決するための手段】
本発明に係る表示装置は、面光源ユニットと、前記面光源ユニットの前面側に配置される表示パネルと、第２枠部を備え、前記表示パネルを背面側から固定し、かつ、前記面光源ユニットを前面側から固定するスペーサと、を備えた表示装置において、
前記面光源ユニットは、板形状を有する導光板と、前記導光板の一端面に沿って配置された光源部と、前記光源部の周囲を前記導光板の側を除いてほぼ包み、前記光源部からの光を前記導光板に向けて反射するリフレクタと、底面部を有し前記導光板を背面側から固定する導光板固定枠と、を備え、
前記導光板固定枠は、前記底面部から前記導光板の他の端面に沿って立設されて、前記導光板を所定位置に位置決めする、複数の第３位置決め部を有し、
前記複数の第３位置決め部は、前記導光板の他の端面を覆う平面状に形成され、
前記光源部は前記導光板の前記一端面の長さより長く、
前記リフレクタは、前記光源部が前記導光板からはみ出す部分を覆う遮蔽部を備え、
前記スペーサは、前記面光源ユニットの方向に向けて前記第２枠部から突出する第２突出部を有し、
前記導光板固定枠と前記スペーサとが一辺を共通にして一体形成されていることを特徴とする。
【００１３】
本発明によれば、光源部として蛍光管を用いた場合に発生する両端付近の光量が少ない領域を導光板の一端面からはみ出させた状態で、光源部を導光板の一端面に沿って配置することができるため、導光板の一端面からその長さ方向の位置によらずほぼ均一な光量を入射させて、導光板からほぼ均一な光量を放射させることができる。また、リフレクタの遮蔽部によって光源部が導光板からはみ出す部分が覆われているため、その部分から不必要な光が漏出することことを防ぐことができる。
【００１４】
本発明に係る表示装置は、
前記リフレクタが、前記光源部が長さ方向に移動しないように固定する固定部を備えることを特徴とする。
【００１５】
本発明によれば、リフレクタの固定部によって、光源部が長さ方向に移動しないように固定することができる。
【００１６】
本発明に係る表示装置は、
底面部を有し、前記導光板を背面側から固定する導光板固定枠をさらに備え、
前記導光板固定枠が、前記底面部から前記導光板の他の端面に沿って立設されて、前記導光板を所定位置に位置決めする、複数の第３位置決め部を有することを特徴とする。
【００１７】
本発明によれば、導光板固定枠に設けられた複数の第３位置決め部によって、導光板を所定位置に位置決めすることができるため、導光板と導光板固定枠とを短い工数で高精度に位置合わせして製造できる。また、導光板と導光板固定枠との位置決めを、両面テープなどを用いずに行うことができるため、両面テープの貼付などのために発光面として用いることができない額縁領域ひいては外形が増加することがなく、両面テープなどによって重量や厚さが増加することもない。
【００１８】
本発明に係る表示装置は、
前記複数の第３位置決め部は、前記導光板の他の端面を覆う平面状に形成されていることを特徴とする。
【００１９】
本発明によれば、第３位置決め部が、光源部が配置された以外の導光板の端面を覆う平面状に形成されている。したがって、それら第３位置決め部の導光板に面する側が十分な反射率を備えれば、それら第３位置決め部によって光源部からの光利用効率を向上させることができる。
【００２０】
また、第３位置決め部が遮光性を備えていれば、導光板から出射された光を液晶パネルの表示領域のみに入射させ、周囲に光が漏れないようにすることができる。それによって、液晶パネルにおいて、表示領域の周囲に形成されている回路領域、例えば駆動回路への、バックライトユニットからの光の照射が阻止される。その結果、表示領域の周囲に形成されている回路領域で光リーク電流などに起因する誤動作や劣化が起きず、電気光学装置の信頼性を高めることができる。
【００２１】
本発明に係る表示装置は、
前記導光板固定枠と前記リフレクタとが、所定形状に一体形成されていることを特徴とする。
【００２２】
本発明にあっては、導光板固定枠とリフレクタとが所定の形状に一体形成されているため、所定位置において導光板固定枠またはリフレクタを導光板に固定することによって、導光板固定枠およびリフレクタが所定位置において導光板に固定されることになる。したがって、導光板固定枠およびリフレクタの少なくとも一方は、両面テープなどを用いて導光板に接着する必要がなくなり、両面テープなどが介在することによる面内輝度や光の利用効率の低下を抑制することができる。また、両面テープなどを用いて接着するための工数を削減することができる。
【００２４】
本発明によれば、表示面内において明るさの分布がほぼ均一な表示装置が得られる。
【００２５】
本発明の係る表示装置は、面光源ユニットと、前記面光源ユニットの前面側に配置される表示パネルと、第２枠部を備え、前記表示パネルを背面側から固定し、かつ、前記面光源ユニットを前面側から固定するスペーサと、を備えた表示装置において、前記面光源ユニットは、板形状を有する導光板と、前記導光板の一端面に沿って配置された光源部と、前記光源部の周囲を前記導光板の側を除いてほぼ包み、前記光源部からの光を前記導光板に向けて反射するリフレクタと、底面部を有し前記導光板を背面側から固定する導光板固定枠と、を備え、前記導光板固定枠は、前記底面部から前記導光板の他の端面に沿って立設されて、前記導光板を所定位置に位置決めする、複数の第３位置決め部を有し、前記複数の第３位置決め部は、前記導光板の他の端面を覆う平面状に形成され、前記光源部は前記導光板の前記一端面の長さより長く、前記リフレクタは、前記光源部が前記導光板からはみ出す部分を覆う遮蔽部を備え、前記スペーサは、前記第２枠部から立設されて前記表示パネルの端面に当接して、前記表示パネルを前記第２枠部とほぼ平行な面内の所定位置に位置決めする複数の第２位置決め部を有し、前記導光板固定枠と前記スペーサとが一辺を共通にして一体形成されていることを特徴とする。
【００２６】
本発明によれば、導光板固定枠とスペーサとが一辺を共通にして一体形成されているため、殆ど工数を要することなく、高精度に、導光板固定枠とスペーサとの間を位置合わせして製造できる表示装置が得られる。
【００２７】
本発明に係る表示装置は、
前記導光板固定枠と前記スペーサとに共通な一辺には、前記導光板固定枠と前記スペーサとの境界線に切り込み部が形成されていることを特徴とする。
【００２８】
本発明によれば、導光板固定枠とスペーサとに共通な一辺における、導光板固定枠とスペーサとの境界線に切り込み部が形成されているため、境界線において容易に折り曲げることによって、導光板固定枠とスペーサとを所定の位置関係として表示装置を製造することができる。
【００２９】
本発明に係る表示装置は、
前記スペーサは、前記面光源ユニットの方向に向けて前記第２枠部から突出する第２突出部を有することを特徴とする。
【００３０】
本発明によれば、スペーサおよび面光源ユニットを所定の位置関係とした後、スペーサに設けられた第２突出部を面光源ユニットの背後に回り込むようにして折り曲げることによって、高い信頼性で一体化された表示装置を容易に形成することができる。
【００３１】
本発明に係る表示装置は、
前記スペーサは、前記第２枠部から立設されて前記表示パネルの端面に当接して、前記表示パネルを前記第２枠部とほぼ平行な面内の所定位置に位置決めする複数の第２位置決め部を有することを特徴とする。
【００３２】
本発明によれば、スペーサに設けられた複数の第２位置決め部によって、表示パネルを第２枠部とほぼ平行な面内の所定位置に位置決めすることができるため、表示パネルとスペーサとの間を短い工数で高精度に位置合わせして製造できる表示装置が得られる。また、表示パネルとスペーサとの位置決めを、両面テープなどを用いずに行うことができるため、両面テープの貼付などのために表示が行われない額縁領域ひいては外形が増加することがなく、両面テープなどによって重量や厚さが増加することもない。
【００３３】
本発明に係る表示装置は、
前記導光板固定枠および前記スペーサは、金属で形成されていることを特徴とする。
【００３４】
本発明によれば、導光板固定枠およびスペーサが金属で形成されているため、高い熱伝導性により、バックライトユニットから発生する熱を効率よくバックライトユニットの外部へ放熱することができる。また、薄型で十分な強度を持ち、放熱性の高い導光板固定枠およびスペーサを備えた表示装置が得られる。また、金属により高い遮光性をもって形成することが可能であるので、導光板からの光漏れを抑えることができ、したがって光漏れによる駆動回路や表示パネルの誤動作、あるいは劣化を防ぐことができる。
【００３５】
本発明に係る表示装置は、前記導光板固定枠または前記スペーサのいずれかが一点で接地されていることを特徴とする。
【００３６】
本発明によれば、一辺を共通にして一体形成されている導光板固定枠とスペーサが、いずれかの一点で接地されているため、一点接地により得られる高いノイズ低減効果により、パネル表示品位および信頼性を高めることができる。
【００３７】
本発明に係る表示装置は、
前記導光板固定枠および前記スペーサは、樹脂で形成されていることを特徴とする。
【００３８】
本発明によれば、導光板固定枠およびスペーサが樹脂で形成されているため、導光板固定枠およびスペーサを介した熱の伝導が少なく、また、それらによって電気的に絶縁された表示装置が得られる。
【００３９】
本発明に係る表示装置は、
前記表示パネルは、表示領域と、前記表示領域の周囲に形成された周辺回路領域と、を備え、
前記スペーサの前記第２枠部は、前記周辺回路領域に対応する位置に形成されていることを特徴とする。
【００４０】
本発明によれば、表示パネルと面光源ユニットとの間に位置するスペーサの第２枠部が、表示領域の周辺回路領域に対応する位置に形成されているため、面光源ユニットから周辺回路領域に及ぶ光や熱を、第２枠部によって少なくとも部分的に遮断することができる。したがって、周辺回路領域に形成された回路に光や熱が及んでリーク電流が発生する可能性を低減することができる。
【００４１】
本発明に係る表示装置は、
前記スペーサは、前記第２枠部と前記表示パネルとの間隔を保ち、かつ、前記面光源ユニットから前記周辺回路領域への光漏れを防ぐ壁部を備えることを特徴とする。
【００４２】
本発明によれば、スペーサに設けられた壁部によって表示パネルと面光源ユニットの間の距離が広がることになるため、面光源ユニットの熱による表示パネルに対する影響をさらに低減することができる。また、バックライトユニットと液晶パネルとが、スペーサに設けられた壁部によってさらに隔てられるため、バックライトユニットと液晶パネルとの間の接触などによって互いに傷つく可能性も低下する。さらに、液晶パネルとバックライトユニットとの間でモワレが発生したり、液晶パネルとバックライトユニットの間で干渉縞が発生したりすることを、凸部の高さを適切に設定することにより防止できる。従って、スペーサに設けられた壁部及び凸部はバックライトからの光や熱による表示パネルの周辺回路の誤動作、あるいは劣化を防ぐことができ、信頼性を向上させることができる。
【００４３】
本発明に係る表示装置は、
前記導光板固定枠の４辺により囲まれる面積は、前記スペーサの４辺により囲まれる面積より小さいことを特徴とする。
【００４４】
本発明は、スペーサが少なくとも表示パネルの全領域に対応する平面形状を備える必要があり、導光板固定枠がほぼ表示パネルの表示領域に対応する平面形状を有する導光板に対応した平面形状を持っていればよい点を利用して、導光板固定枠の平面形状をスペーサの平面形状より小さくしたものである。これによって、導光板固定枠が小型となるため、表示領域の大きさに比し小型軽量の表示装置が得られる。
【００４５】
本発明に係る表示装置は、
第１枠部を備え、前記表示パネルを前面側から固定するパネル固定枠をさらに備え、
前記パネル固定枠と前記スペーサとが一辺を共通にして一体形成されていることを特徴とする。
【００４６】
本発明によれば、スペーサおよびパネル固定枠が一体に形成されているため、殆ど工数を要することなく、高精度に、スペーサとパネル固定枠とを互いに位置合わせして製造できる表示装置が得られる。
【００４７】
本発明に係る電子機器は、
前記いずれかの表示装置を表示手段として有することを特徴とする。
【００４８】
本発明によれば、表示装置について前述した作用効果を有し信頼性の高い表示手段を備えた電子機器が得られる。
【００４９】
【発明の実施の形態】
以下、本発明の好適な実施形態について、図面を参照しながら、さらに具体的に説明する。
【００５０】
１．  ＜第１実施形態＞
１．１  表示装置
本実施形態においては、本発明の表示装置の一例として、液晶表示装置を用いて説明する。図１は、本実施形態の表示装置としての液晶表示装置１０を模式的に示す分解斜視図である。図１に示すように、本実施形態の液晶表示装置１０は、表示パネルとしての液晶パネル１４と、液晶パネル１４の背面側に配置されるバックライトユニット４０のさらに背面側に配置されるインバータ６０とを備えている。
【００５１】
さらに、液晶表示装置１０は、図１および図３に示すように、上述した各部を保護して所定の位置関係に保つ枠部材として、液晶パネル１４の前面側に配置されるパネル固定枠１２と、液晶パネル１４とバックライトユニット４０（面光源ユニット）との間に配置されるスペーサ３０と、バックライトユニット４０の一部である導光板４４の背面側に配置される導光板固定枠５６と、バックライトユニット４０の一部である光源部を覆うリフレクタ６６とを備えている。なお、本実施形態においては、パネル固定枠１２とスペーサ３０、およびスペーサ３０と導光板固定枠５６が、それぞれの対において一辺を共通にしており、全体としてつづら折状に折り曲げ可能に一体形成されている。さらに導光板固定枠５６とリフレクタ６６も一辺を共通にして一体形成されている。
【００５２】
パネル固定枠１２、スペーサ３０、導光板固定枠５６、およびリフレクタ６６は、金属、例えば、燐青銅などの銅系材料、スズメッキ鋼板（通称ブリキ）、またはアルミ材料などからなる１枚の金属板にプレス加工などを施すことにより形成されている。燐青銅は比抵抗が小さく強度、弾性、耐食性などの点でも優れており、特に好ましい。またスズメッキ鋼板は材料自体が安価に入手できる。またアルミ材料は軽量化において優れており、用途に合わせた材料選定が必要である。このように、パネル固定枠１２、スペーサ３０、導光板固定枠５６、およびリフレクタ６６が金属で形成されているため、これら枠部材は、薄型でありながら十分な強度と、高い放熱性を備えることができる。
【００５３】
また、一体形成された、パネル固定枠１２、スペーサ３０、導光板固定枠５６、およびリフレクタは、１箇所（例えば導光板固定枠の一箇所）に接続されたリード線によって少なくとも一点接地される。このように、枠部材、すなわちパネル固定枠１２、スペーサ３０、導光板固定枠５６、およびリフレクタ６６は、金属で形成されているため、接地してシールド効果を持たせることができる。しかも、それらは一体形成されているため、容易に一点で接地でき、インバータ６０、蛍光管５０、周辺回路領域、または外部環境などから発生するノイズによる液晶パネルの表示品質に対する影響を、これら枠部材を個々に接地する場合に比べて、さらに低下させることができる。
【００５４】
そして、パネル固定枠１２とスペーサ３０、および、スペーサ３０と導光板固定枠５６のそれぞれの対において、共通な一辺の境界線には予め切り込み部が形成されている。例えば、図３は、パネル固定枠１２とスペーサ３０との共通な一辺の境界線付近を折り曲げ前の状態として示す断面図である。この図に示すように、共通な一辺における境界線には切り込み部３８が形成されており、例えば厚さ０．２５ｍｍのスズメッキ鋼板（通称ブリキ）でパネル固定枠１２とスペーサ３０を形成した場合は、材厚に対し、２／３程度の深さを持つ切り込み部３８が適切であることが確認されている。なお、切欠き部３８は、図３に断面図として示したように、Ｖ字型に切り欠かれていることが望ましい。これによって、一体形成されたパネル固定枠１２とスペーサ３０とをそれらの境界線で容易に折り曲げ加工して、パネル固定枠１２とスペーサ３０とを所定の位置関係にすることができる。なお、切り込み部３８の深さは、用いられる材料とその厚さによって適宜決定される。また、切り込み部３８が形成された折り曲げ箇所を事前に所定の折り曲げ量の半分程折り曲げておくことにより、組立時における折り曲げが容易になるとともに、折り曲げ位置の精度を高めることができる。そして、ここではパネル固定枠１２とスペーサ３０との共通な一辺における境界線に形成された切り込み部３８について説明したが、スペーサ３０と導光板固定枠５６との境界線ににおいても同様に切り込み部が形成されている。なお、切り込み部は、図３に示したように断面Ｖ字形状で連続したものでなく、例えば、ミシン目状に、貫通または非貫通の切り込みを設けるようにしてもよい。
【００５５】
液晶パネル１４は、図１に示したようにパネル固定枠１２とスペーサ３０との間に配置される。液晶パネル１４は、アクティブマトリクス基板１５と対向基板２４との間に液晶が封入され、それら基板１５，２４の外面側に偏光板８５（背面側の偏光板８４は図１において図示せず）が貼付されて形成されている。また、液晶パネル１４は、液晶注入後に液晶を密封するために、例えばＵＶ硬化樹脂などからなる封止部２２を一つの端面２３に備えている。封止部２２は、信頼性の高い封止を実現するために、例えば液晶パネル１４の端面２３と封止部２２との接触面積を多くして外部からの空気等の侵入を防止することを目的として端面２３から盛り上がった形状の突出部として形成されている。そして、液晶パネル１４には、その端子部に配線基板８２、例えばＦＰＣ（可撓性配線基板）が接続されている。
【００５６】
また、後に詳述するが、液晶パネル１４は、表示領域と、表示領域の周囲に形成された周辺回路領域とを備えて形成されている。周辺回路領域には、例えばアクティブマトリクス基板１５上に形成されたポリシリコン層に、液晶パネル１４の各画素を駆動する駆動回路、液晶パネル１４に表示する画像情報を生成する信号回路、および検査回路などの少なくともいずれかが形成されている。
【００５７】
面光源ユニットとしてのバックライトユニット４０は、図１に示したようにスペーサ３０と導光板固定枠５６との間に配置される。バックライトユニット４０は、光源部としての蛍光管５０、導光板４４、およびレンズシート４２を備えて形成されている。蛍光管５０には所定電圧の電源を接続するための接続部５１を介してインバータ６０の出力が接続される。導光板４４は、その一端面４５に沿って蛍光管５０が配置され、蛍光管５０からの光を液晶パネル１４の全表示領域に向けて導く。導光板４４は、蛍光管５０の側において厚さが厚い、くさび状の断面形状に形成されている。導光板４４がこのような形状を備えることによって、導光板４４から液晶パネル１４に向けて放射される光量が蛍光管５０の付近と蛍光管５０から離れた位置とで均一化される。レンズシート４２は、導光板４４の前面側に配置されて光利用効率を向上させる。
【００５８】
本実施形態のバックライトユニット４０においては、蛍光管５０が導光板４４の対応する端面４５の長さより長く形成されている。そして、蛍光管５０の両端付近の光量が少ない領域が導光板４４の端面４５がある一辺からはみ出した状態で、蛍光管５０が導光板４４の端面４５に沿って配置されている。そのため、導光板４４の端面４５の長さ方向のどの位置からもほぼ均一な光量を蛍光管５０から入射させることができ、それによって導光板４４からほぼ均一な光量を放射させることが可能となる。
【００５９】
リフレクタ６６は、蛍光管５０の周囲を導光板４４の側を除いて覆い、蛍光管５０からの光を導光板４４に向けて反射する。また、蛍光管５０が導光板４４からはみ出す長さとなっていることに対応して、リフレクタ６６は、導光板４４からはみ出す蛍光管５０の部分を覆う遮蔽部６７を備えている。このように、リフレクタ６６の遮蔽部６７によって蛍光管５０が導光板４４からはみ出している部分が覆われているため、その部分から不必要な光が漏出することを防ぐことができる。さらに、リフレクタ６６は固定部６８を備え、固定部６８は蛍光管５０の端部に位置する保持部５２例えばラバーホルダに当接して、蛍光管５０が長さ方向に移動しないように固定する。また、折り曲げ部６９，６９は、蛍光管５０がリフレクタ６６内に収納された後、保持部５２に向けて折り曲げられる。
【００６０】
インバータ６０は、導光板固定枠５６の背面側に配置され、バックライトユニット４０の蛍光管５０に電力を供給する。インバータ６０は、例えば入力された５Ｖの直流電圧を、２５０Ｖ、１００ｋＨｚの交流電圧として出力して蛍光管５０に供給する。インバータ６０は、導光板固定枠５６を挟んでバックライトユニット４０のすぐ背面側、しかも蛍光管５０が配置される位置に近く配置されるため、蛍光管５０の接続部５１までの配線を短くすることができる。これによって、インバータ６０と蛍光管５０との間の配線からのリーク電流が小さくなり、高いエネルギー効率で蛍光管５０を発光させることができる。また、配線が短くなるため、配線による寄生容量を小さくすることができる。
【００６１】
パネル固定枠１２は、図２に示したように、第１枠部としての枠部１２ａと、液晶パネル１４の表示領域に対応した大きさの表示窓１３とを備え、液晶パネル１４を前面側から固定し物理的に保護している。パネル固定枠１２は、前述したようにスペーサ３０と一辺を共通にして一体形成されている。パネル固定枠１２とスペーサ３０との間に液晶パネル１４が収められ、共通な一辺の境界線で折り曲げられることによって、パネル固定枠１２、液晶パネル１４、およびスペーサ３０が所定の位置関係となる。このように、液晶表示装置１０は、パネル固定枠１２とスペーサ３０とが一辺を共通にして一体形成されているため、殆ど工数を要することなく、パネル固定枠１２とスペーサ３０とを高精度に位置合わせして製造できる。
【００６２】
また、パネル固定枠１２は、バックライトユニット４０の方向に向けて枠部１２ａから突出する第１突出部としての突出部１２ｂを備えている。突出部１２ｂは、液晶表示装置１０が組み立てられた後に、導光板固定枠５６の背面側すなわちバックライトユニット４０の背面側に向けて折り曲げられる。このように、突出部１２ｂが折り曲げられて、パネル固定枠１２と、導光板固定枠５６を含む他の部分との一体性を保つことができる。
【００６３】
スペーサ３０は、第２枠部としての枠部３０ａを備え、液晶パネル１４とバックライトユニット４０との間に配置されて、液晶パネル１４を背面側から固定し、バックライトユニット４０を前面側から固定している。このように、液晶パネル１４とバックライトユニット４０との間にスペーサ３０が配置されていることによって、液晶パネル１４とバックライトユニット４０との間に所定の間隙が形成され、干渉縞の発生、および、液晶パネル１４の画素とバックライトユニット４０のレンズシート４２のストライプが光学的に干渉することによって生じるモアレの発生を防止している。また、液晶パネル１４とバックライトユニット４０との間にスペーサ３０を配置することによって、液晶パネル１４とバックライトユニット４０との間に間隙が形成されて液晶パネル１４とレンズシート４２とが当接せず、レンズシート４２の傷つきや破損を防止できる。
【００６４】
また、スペーサ３０は、図１に示した矢印Ａの方向から見た斜視図である図４に示すように、枠部３０ａから立設された第２位置決め部としての位置決め部３０ｄを複数備えている。複数の位置決め部３０ｄは、それぞれ液晶パネル１４の端面に当接して、液晶パネル１４を枠部３０ａとほぼ平行な面内の所定位置に位置決めする。このように、スペーサ３０に液晶パネル１４を位置決めする複数の位置決め部３０ｄが設けられているため、スペーサ３０と液晶パネル１４との位置ずれが生じて枠部３０ａによってバックライトユニット４０からの光の一部が遮られたり、バックライトユニット４０やパネル固定枠１２の表示窓１３などと液晶パネル１４との間に位置ずれが生じたりして、表示の一部が見えない状態となることを防止できる。また、これら位置決め部３０ｄによって、液晶パネル１４とスペーサ３０とを短い工数で高精度に位置合わせできる。さらに、液晶パネル１４とスペーサ３０との位置決めを、両面テープなどを用いずに行うことができるため、両面テープの貼付などのために表示が行えない額縁領域ひいては外形が増加することがなく、両面テープなどによって重量や厚さが増加することもない。
【００６５】
なお、液晶パネル１４の封止部２２がある端面２３に対向する位置決め部３０ｄは、突出する封止部２２を避けた位置に設けられて、液晶パネル１４の端面２３に当接している。したがって、突出している封止部２２の存在にも拘わらず、液晶パネル１４は、スペーサ３０の枠部３０ａとほぼ平行な面内の所定位置に安定して位置決めされて固定される。
【００６６】
さらに、スペーサ３０は、導光板固定枠５６の方向に向けて枠部３０ａから突出する第２突出部としての突出部３０ｂを備えている。突出部３０ｂは、導光板固定枠５６の背面側に向けて折り曲げられて導光板固定枠５６に当接する状態となる。したがって、スペーサ３０、バックライトユニット４０、およびバックライト固定枠５６を所定の位置関係とした後、スペーサ３０に設けられた第２突出部をバックライト固定枠５６の背後に回り込むようにして折り曲げることによって、高い信頼性でスペーサ３０、バックライトユニット４０、および導光板固定枠５６を一体化することができる。
【００６７】
前述したように、スペーサ３０は、導光板固定枠５６とも一辺を共通にして一体形成されており、スペーサ３０と導光板固定枠５６との間にバックライトユニット４０が収められ、共通な一辺の境界線で折り曲げられて、バックライトユニット４０および導光板固定枠５６と所定の位置関係となる。また、この折り曲げは、前述したように、スペーサ３０と導光板固定枠５６に共通な一辺における、スペーサ３０と導光板固定枠５６の境界線に切り込み部が形成されているため、境界線において容易に行うことができる。このように、スペーサ３０が導光板固定枠５６と一体に形成されているため、殆ど工数を要することなく、高精度に、スペーサ３０と導光板固定枠５６とを位置合わせできる。
【００６８】
さらに、スペーサ３０の前述した枠部３０ａは、液晶パネル１４、スペーサ３０、およびバックライトユニット４０を模式的に示す断面図である図５に示すように、液晶パネル１４の前述した周辺回路領域１７０に対応する位置に枠部３０ａが形成されている。このように、液晶パネル１４とバックライトユニット４０との間に位置するスペーサ３０の枠部３０ａが、表示領域１３０の周囲に位置する周辺回路領域１７０に対応する位置に形成されているため、バックライトユニット４０から周辺回路領域１７０に及ぶ光や熱を、枠部３０ａによって遮断することができる。本実施形態の周辺回路領域１７０は、前述したように、基板１６上に形成されたポリシリコン層に作り込まれているため、シリコン基板上に形成されたものに比べ光や熱の影響を受けやすく、それらによりリーク電流などが発生しやすい。しかしながら、スペーサ３０の枠部３０ａが、上述のようにバックライトユニット４０から周辺回路領域１７０に及ぶ光や熱を遮蔽するように形成されているため、周辺回路領域１７０に光や熱が及んでリーク電流が発生する可能性を低減することができる。
【００６９】
導光板固定枠５６は、底面部５７を備え、バックライトユニット４０を背面側から固定する。前述したように、スペーサ３０と導光板固定枠５６とは、一辺を共通にして一体形成されている。また、導光板固定枠５６は、図２に示したように、底面部５７から立設された第３位置決め部としての位置決め部５８を複数備えている。複数の位置決め部５８は、バックライトユニット４０の対応する端面の形状に合わせた形状を持ち、しかも導光板４４の端面４７，４６に当接するように形成されており、それによって導光板４４を底面部５７とほぼ平行な面内の所定位置に位置決めする。したがって、導光板４４と導光板固定枠５６を短い工数で高精度に位置合わせできる。また、導光板４４と導光板固定枠５６との位置決めを、両面テープなどを用いずに行うことができるため、両面テープの貼付などのために発光面として用いることができない額縁領域ひいては外形が増加することがなく、両面テープなどによって重量や厚さが増加することもない。
【００７０】
また、複数の位置決め部５８は、導光板４４の端面のうち蛍光管５０が配置されていない端面４７，４６をそれぞれほぼ密着して覆う平面状に形成されている。また、それら位置決め部５８の導光板４４に面する側は、十分な光反射率を備えて形成されているため、それら位置決め部５８によって蛍光管５０からの光の利用効率を向上させることができる。
【００７１】
そして、図２から明らかなように、導光板固定枠５６の４辺により囲まれる面積は、スペーサ３０の４辺により囲まれる面積より小さく形成されている。これは、スペーサ３０が、液晶パネル１４を保持固定するために少なくとも液晶パネル１４の全領域に対応する平面形状を備える必要があり、導光板固定枠５６が液晶パネル１４の表示領域に対応する平面形状を有する導光板４４に対応した平面形状を持っていればよいためである。これによって、導光板固定枠５６をスペーサ３０とほぼ等しい平面形状とした場合に比べて、導光板固定枠５６が小型となるため、液晶表示装置１０を表示領域の大きさに比し小型軽量とすることができる。
【００７２】
上述したように、本実施形態の表示装置としての液晶表示装置１０においては、パネル固定枠１２とスペーサ３０、スペーサ３０と導光板固定枠５６、および、導光板固定枠５６とリフレクタ６６が、それぞれ一辺を共通にして一体形成されている。そして、パネル固定枠１２とスペーサ３０の間に液晶パネル１４、スペーサ３０と導光板固定枠５６の間に導光板４４を、それぞれ両面テープなどを用いることなく、位置決め部によって位置決めし、突出部によって固定して形成できる。そのため、両面テープなどを用いる場合のように、微妙な位置合わせを行う必要がなく、短い工数で高精度に位置合わせして表示装置を製造することができる。また、各部の固定に両面テープなどを用いる場合のように、両面テープなどを用いた領域が表示に使用できない領域となってしまうことがないため、表示装置の額縁領域を小さくすることができる。さらに、両面テープなどを用いないため、両面テープなどの分だけ表示装置の厚さが増したり、重量が増加することがなく、小型軽量化できる。そして、両面テープなどを用いる場合のように、高温高湿環境下や低温環境下での使用または経時変化等により粘着力が低下して剥がれなどが発生することがないため、そのような原因のために表示パネル１４とスペーサ３０やバックライトユニット４０などとの間で位置ずれが生じて、表示領域の一部が見えない状態となったりする可能性がなく、高い信頼性を備えた液晶表示装置１０が得られる。
【００７３】
１．２  表示パネル
図６は、本実施形態の表示パネルとしての液晶パネル１４の平面図である。また、図７は、液晶パネル１４の端部付近（図６に示した線Ｈ−Ｉに沿った位置）における詳細を示す部分断面図である。
【００７４】
これらの図に示すように、液晶パネル１４は、石英ガラスまたは耐熱ガラスなどで形成された基板１６の表面にＩＴＯ（Indium Tin Oxide）膜からなる画素電極１７がマトリクス状に形成されたアクティブマトリクス基板１５と、やはり石英ガラスまたは耐熱ガラスなどで形成された基板２５の表面に対向電極２６が形成された対向基板２４と、これらの基板間に封入、挟持されている液晶８６とを含んで構成されている。ここで、アクティブマトリクス基板１５では、基板１６の表面のうち、画素スイッチング用のＴＦＴ１８が形成される領域の下層側には予め遮光膜１９が形成される。そして、その表面に保護膜２０が形成された後、ＴＦＴ１８および画素電極１７が形成され、それらの表面が配向膜２１で覆われた構成になっている。なお、この液晶パネル１４を用いてカラー表示を行う場合には、対向基板２４の各画素に対向する領域にカラーフィルタが形成される。
【００７５】
アクティブマトリクス基板１５と対向基板２４とは、それらの間に分散配置されたギャップ材（図示せず）によって所定間隔に保たれ、対向基板２４の外周縁に沿って配置されたシール材７６によって貼り合わされている。このようにして、アクティブマトリクス基板１５、対向基板２４、およびシール材７６によって画成された領域に、電気光学物質としての液晶８６が封入されている。ここで、図６に示したように、シール材７６は部分的に途切れて配置されており、その途切れた部分が液晶注入口８０となっている。このため、対向基板２４とアクティブマトリクス基板１５とを貼り合わせた後、シール材７６の内側領域を減圧状態にすることによって、液晶注入口８０から液晶８６を減圧注入することができる。液晶注入口８０は、液晶８６が注入された後に、樹脂からなる封止部２２によって封止される。
【００７６】
アクティブマトリクス基板１５においては、表示領域の周辺に位置する領域が周辺回路領域とされ、この領域に、画素スイッチング用のＴＦＴ１８と同時形成された駆動回路用のＴＦＴ（図示せず）を用いて構成された走査線駆動回路１７１やデータ線駆動回路１７４が形成されている。また、アクティブマトリクス基板１５の端部に形成された入出力端子８１は、対向基板２４からはみ出した領域に位置する。
【００７７】
対向基板２４には、シール材７６の形成領域の内側であって表示領域でない領域を遮光する遮光膜２７、およびアクティブマトリクス基板１５の各画素電極１７の境界領域に対応する領域を遮光する遮光膜２８が形成されている。そして、これらの遮光膜２７、２８の表面側に対向電極２６が形成され、対向電極２６を覆って配向膜２９が形成されている。
【００７８】
また、液晶パネル１４は、アクティブマトリクス基板１５および対向基板２４の光入射側および光出射側の面に、ノーマリホワイトモード／ノーマリブラックモードの別に応じて、プラスチックシートを用いて形成された偏光板（偏光シート）８４，８５が所定の向きに配置される。
【００７９】
なお、本実施形態では、アクティブマトリクス基板１５の方から光が入射して、対向基板２４の方から出射される構成になっているが、その逆に、対向基板２４の方から光が入射して、アクティブマトリクス基板１５の方から出射される構成であってもよい。
【００８０】
このように構成した液晶パネル１４において、アクティブマトリクス基板１５では、データ線（図示せず）およびＴＦＴ１８を介して画素電極１７に印加した画像信号によって、画素電極１７と対向電極２６との間において液晶８６の配向状態を画素毎に制御し、画像信号に対応した所定の画像を表示する。例えば、液晶パネル１４をＴＮモードで構成した場合に、一対の基板間（アクティブマトリクス基板１５と対向基板２４）の各々に形成した配向膜２１，２９に対してラビング処理を行う際にラビング方向を互いに直交する方向に設定すると、液晶８６は、基板間で９０°の角度をもって捩じれ配向する。このような捩じれ配向は、基板間で液晶８６に電場をかけることによって解放される。したがって、基板間に外部から電場を印加するか否かによって、液晶８６の配向状態を画素電極１７が形成されている領域毎（画素毎）に制御することができる。そのため、透過型の液晶パネル１４であれば、光源すなわちバックライトユニット４０からの光は、入射側の偏光板８４によって所定の直線偏光に揃えられた後、液晶８６の層に入射し、ある領域を透過する直線偏光は、旋光されて偏光面が捩じられて出射される一方、他の領域を通過した直線偏光は、旋光されず偏光面が捩じられることなく出射する。このため、入射側の偏光板８４と出射側の偏光板８５を互いの透過軸が直交するように配置しておけば（ノーマリホワイト）、液晶パネル１４の出射側に配置された偏光板８５を通過するのは、液晶８６によって偏光面が捩じられた方の直線偏光のみである。これに対して、入射側の偏光板８４と透過軸が平行になるように出射側の偏光板８５を配置しておけば（ノーマリブラック）、液晶パネル１４の出射側に配置された偏光板８５を通過するのは、液晶８６によって偏光面が捩じられることのなかった直線偏光のみである。よって、液晶８６の配向状態を画素ごとに制御すれば、任意の情報を表示することができる。
【００８１】
したがって、アクティブマトリクス基板１５においてデータ線および画素スイッチング用のＴＦＴ１８を介して画素電極１７に画像信号を供給するとともに、対向電極２６にも所定の電位を印加する必要がある。そこで、液晶パネル１４では、アクティブマトリクス基板１５の表面のうち、対向基板２４の各コーナー部に対向する部分には、データ線などの形成プロセスを利用してアルミニウム膜（遮光性材料）からなる上下導通用の第１導通電極７８が形成されている。一方、対向基板２４の各コーナー部には、対向電極２６の形成プロセスを援用してＩＴＯ膜（光透過性材料）からなる上下導通用の第２導通電極７９が形成されている。さらに、これらの上下導通用の第１導通電極７８と第２導通電極７９とは、エポキシ樹脂系の接着剤成分に銀粉や金めっきファイバーなどの導電粒子が配合された導通材７７によって電気的に導通している。そのため、液晶パネル１４では、アクティブマトリクス基板１５および対向基板２４のそれぞれにフレキシブル配線基板などを接続しなくても、アクティブマトリクス基板１５のみにフレキシブル配線基板８２を接続するだけで、アクティブマトリクス基板１５および対向基板２４の双方に所定の信号を入力することができる。
【００８２】
図８は、上述のような構造を持つ液晶パネル１４の電気的な構成を模式的に示すブロック図である。この図に示すように、液晶パネル１４には、表示領域１３０と周辺回路領域１７０とが設けられている。
【００８３】
表示領域１３０には、データ線１３１および走査線１３２と、データ線１３１および走査線１３２に接続された画素スイッチング用のＴＦＴ１８と、このＴＦＴ１８を介してデータ線１３１から画像信号が入力される液晶セル１３５が存在する。また、ＴＦＴ１８と液晶セル１３５とを含んで形成される各画素は、容量線１３３との間に容量素子１３６を備え、この容量素子１３６は、液晶セル１３５における電荷の保持特性を高める機能を果たしている。
【００８４】
周辺回路領域１７０は、走査線駆動回路１７１およびデータ線駆動回路１７４を備えている。走査線駆動回路１７１は、走査線１３２に接続され、シフトレジスタ１７２およびレベルシフタ１７３を含んで構成される。データ線駆動回路１７４は、データ線１３１に接続され、シフトレジスタ１７５、レベルシフタ１７６、ビデオライン１７７、スイッチ１７８を含んで構成される。
【００８５】
１．３  表示装置を備えた電子機器
図９（Ａ）、（Ｂ）、および（Ｃ）は、本実施形態の表示装置である液晶表示装置１０を表示部として用いた電子機器の例を示す外観図である。図９（Ａ）は、携帯電話機８８であり、その前面上方に液晶表示装置１０を備えている。図９（Ｂ）は、腕時計９２であり、本体の前面中央に液晶表示装置１０を用いた表示部が設けられている。図９（Ｃ）は、携帯情報機器９６であり、液晶表示装置１０からなる表示部と入力部９８とを備えている。これらの電子機器は、液晶表示装置１０の他に、図示しないが、表示情報出力源、表示情報処理回路、クロック発生回路などの様々な回路や、それらの回路に電力を供給する電源回路などからなる表示信号生成部を含んで構成される。表示部には、例えば携帯情報機器の場合にあっては入力部９８から入力された情報等に基づき表示信号生成部によって生成された表示信号が供給されることによって表示画像が形成される。
【００８６】
なお、本実施形態の液晶表示装置１０が組み込まれる電子機器としては、携帯電話機、腕時計、および携帯情報機器に限らず、ノート型パソコン、電子手帳、ページャ、電卓、ＰＯＳ端末、ＩＣカード、ミニディスクプレーヤなど様々な電子機器が考えられる。
【００８７】
２．  ＜第２実施形態＞
第１実施形態においては、スペーサの枠部のほぼ全体が液晶パネル１４に接触する例を示した。本実施形態は、スペーサが壁部を備え、その壁部によって、枠部と表示パネルとの間隔を保ち、しかもバックライトユニットから周辺回路領域への光漏れを防ぎ熱伝達を低減させる点が、第１実施形態とは異なる。それ以外については、第１実施形態と同様に構成されており、その説明を省略する。また、図面において、第１実施形態と同様な各部には、第１実施形態と同一の符号を付す。
【００８８】
２．１  スペーサ
図１０は、便宜的に本実施形態のスペーサ１８０のみを、前面側すなわち液晶パネル１４に面する側から見た斜視図である。また、図１１は、液晶パネル１４、スペーサ１８０、およびバックライトユニット４０を示す模式的な分解断面図である。なお、これらの図においては、突出部３０ｂおよび位置決め部３０ｄは省略して描いてある。
【００８９】
これらの図に示すように、スペーサ１８０は、枠部３１ａの内縁に沿って壁状に連続して形成された均一高の壁部１８１と、枠部３１ａ上に壁部１８１と同一高に形成された複数の凸部１８３とを備えている。壁部１８１によって、囲まれる領域、すなわちスペーサの開口領域１８２は、図１１に示すように液晶パネル１４の表示領域１３０に対応している。スペーサ１８０は、この位置関係で壁部１８１と凸部１８３とが液晶パネル１４に当接するように配置される。これによって、枠部３０ａと表示パネル１４との間隔は壁部１８１の高さに保たれる。しかも、壁部１８１はスペーサの開口領域１８２を囲んで連続した壁状に形成されているため、バックライトユニット４０から、液晶パネル１４の周辺回路領域１７０への光漏れを防ぎ熱伝達を低減させることができる。
【００９０】
本実施形態においては、スペーサ１８０に設けられた壁部１８１と１８３によって、液晶パネル１４とバックライトユニット４０との間の距離が、壁部１８１の高さ分だけ広がることになるため、バックライトユニット４０の熱による液晶パネル１４に対する影響をさらに低減することができる。また、モワレや干渉縞の発生状況に合わせて壁部１８１と１８３の高さを適切に設定して、液晶パネル１４とバックライトユニット４０との隙間を最適にしてモワレや干渉縞の発生を防止することが可能である。しかも、壁部１８１はバックライトユニット４０から周辺回路領域１７０への光漏れを防ぎ、熱の伝達を低減するように、スペーサ１８０の開口領域１８２を囲んで連続した壁状に形成されているため、バックライトユニット４０からの光や熱による液晶パネル１４特にその周辺回路領域１７０に対する影響も防ぐことができる。さらに、壁部１８１として弾性を有する部材を用いると、液晶パネルとバックライトユニットの外部からの衝撃を吸収することができるため、信頼性を向上させることができる。
【００９１】
２．２  第２実施形態の変形例
スペーサ１８０の壁部は、枠部３１ａの内周からのみではなく、例えば、液晶パネル１４、スペーサ１８０、およびバックライトユニット４０を示す模式的な分解断面図である図１２に示すように、樹脂材料などによって枠部３１ａ全体が厚さを増すように形成した壁部１８５としてもよい。すなわち、壁部１８５が液晶パネル１４の周辺回路領域１７０に対応する平面形状をもって形成されるようにしてもよい。これによっても、液晶パネル１４とバックライトユニット４０との間の距離が、壁部１８５の高さ分だけ広がることになるため、バックライトユニット４０の熱による液晶パネル１４に対する影響を低減することができる。また、壁部１８５によってバックライトユニット４０から周辺回路領域１７０への光漏れが防止され熱の伝達が低減されるため、バックライトユニット４０からの光や熱による液晶パネル１４に対する影響も防ぐことができる。
【００９２】
３．  ＜他の変形例＞
ここで、前述した各実施形態に適用可能な変形例について説明する。下記の各変形例においては前述した各実施形態と異なる点のみ記載して説明する。
【００９３】
３．１  前述した各実施形態においては、リフレクタ６６と導光板固定枠５６が一辺を共通にして一体形成された例を示した。しかしながら、図１３（Ａ）に斜視図として示し、図１３（Ｂ）に展開図として示すように、リフレクタを導光板固定枠５６とは別体として形成してもよい。この場合、リフレクタ７２は、導光板４４の前面および背面において一部が重なる状態で導光板４４および導光板固定枠５６に固定される。また、折り曲げ部６９，６９は、蛍光管５０がリフレクタ６６内に収納された後、蛍光管５０の保持部５２に向けて折り曲げられる。さらに、折り曲げ部７３は、導光板４４側面に接することによって、リフレクタ７２と導光板４４とのズレを防止できる。また、折り曲げ部６８により、光源部としての蛍光管５０が所定位置に固定できる。
【００９４】
３．２  前述した各実施形態においては、パネル固定枠１２、スペーサ３０、導光板固定枠５６、およびリフレクタ６６が金属で形成される例を示したが、これらは、樹脂例えば、アクリル樹脂、ポリプロピレン、または塩化ビニール樹脂で形成してもよい。
【００９５】
このように、パネル固定枠１２、スペーサ３０、導光板固定枠５６、およびリフレクタ６６を樹脂で形成することによって、それらを介した熱の伝導が少なく、それらによって電気的に絶縁された表示装置を形成することができる。さらに、回路部分などからリーク電流が、パネル固定枠１２、スペーサ３０、導光板固定枠５６、またはリフレクタ６６に流れ出すことも少ない。
【００９６】
３．３  前記においては、パネル固定枠１２とスペーサ３０、および、スペーサ３０と導光板固定枠５６のそれぞれの対において、共通な一辺の境界線に予め切り込み部を形成することによって、一体形成された各枠部材をそれらの境界線で容易に折り曲げ加工して形成するようにしていた。しかしながら、このように切り込み部を設けずに、それぞれの境界線において、予め所定の角度より大きな角度で折り曲げプレスを施して折り曲げ部を形成しておき、液晶パネル１４や、バックライトユニット４０を挟み込んだ後に所定の角度まで折り曲げるようにしてもよい。このように、予め折り曲げ部を形成しておくことによって、その位置で容易に折り曲げて、パネル固定枠１２とスペーサ３０、および、スペーサ３０と導光板固定枠５６のそれぞれの対を所定の位置関係とすることができる。
【００９７】
３．４  さらに、前述した各実施形態においては、光源部として冷陰極ランプなどの蛍光管を用いる例を示したが、光源部として発光ダイオード（ＬＥＤ）などを用いてもよい。
【００９８】
以上、本発明の実施形態を説明したが、本発明は前述した各実施形態に限定されるものではなく、本発明の要旨の範囲内または特許請求の範囲の均等範囲内でさらに各種の変形実施が可能である。
【図面の簡単な説明】
【図１】第１実施形態の液晶表示装置を示す模式的な分解斜視図である。
【図２】図１に示した枠部材、すなわちパネル固定枠、スペーサ、導光板固定枠、およびリフレクタを拡大して示す斜視図である。
【図３】パネル固定枠とスペーサとの共通な一辺の境界線付近を折り曲げ前の状態として示す断面図である。
【図４】図１に示した矢印Ａの方向から見た、パネル固定枠およびスペーサの斜視図である。
【図５】液晶パネル、スペーサ、およびバックライトユニットの位置関係を模式的に示す断面図である。
【図６】第１実施形態の液晶パネルを示す平面図である。
【図７】図６に示した線Ｈ−Ｉに沿った位置における部分断面図である。
【図８】第１実施形態の液晶パネルの電気的構成を示すブロック図である。
【図９】第１実施形態の液晶表示装置を用いた電子機器を示す外観図であり、（Ａ）は携帯電話機であり、（Ｂ）は腕時計であり、（Ｃ）は携帯情報機器である。
【図１０】第２実施形態のスペーサのみを、前面側すなわち液晶パネルに面する側から見た斜視図である。
【図１１】第２実施形態における、液晶パネル、スペーサ、およびバックライトユニットの位置関係を示す模式的な分解断面図である。
【図１２】第２実施形態の変形例における、液晶パネル、スペーサ、およびバックライトユニットの位置関係を示す模式的な分解断面図である。
【図１３】リフレクタを別体として形成した変形例を示す図であり、（Ａ）は斜視図、（Ｂ）は展開図である。
【符号の説明】
１０  液晶表示装置
１２  パネル固定枠
１２ａ  枠部（第１枠部）
１４  液晶パネル
３０，１８０  スペーサ
３０ａ  枠部（第２枠部）
３０ｂ  突出部（第２突出部）
３０ｄ  位置決め部（第２位置決め部）
３８  切り込み部
４０  バックライトユニット
４４  導光板
４５，４６，４７  端面
５０  蛍光管（光源部）
５６  導光板固定枠
５７  底面部
５８  位置決め部（第３位置決め部）
６０  インバータ（電源）
６６  リフレクタ
６７  遮蔽部
６８  固定部
８８  携帯電話機（電子機器）
９２  腕時計（電子機器）
９６  携帯情報機器（電子機器）
１３０  表示領域
１７０  周辺回路領域
１８１，１８５  壁部
【図１】
0003719362.tif 000002
【図２】
0003719362.tif 000003
【図３】
0003719362.tif 000004
【図４】
0003719362.tif 000005
【図５】
0003719362.tif 000006
【図６】
0003719362.tif 000007
【図７】
0003719362.tif 000008
【図８】
0003719362.tif 000009
【図９】
0003719362.tif 000010
【図１０】
0003719362.tif 000011
【図１１】
0003719362.tif 000012
【図１２】
0003719362.tif 000013
【図１３】
0003719362.tif 000014